(57)【要約】      （修正有）【課題】自転車運転者の視界を妨げず、降雨時の片手運転による転倒等の危険を防ぎ、且つ、自転車運転者の全身を雨による濡れから防ぐことができる自転車用雨濡れ防止カバーを提供する。【解決手段】大型の靴ベラ様の硬質・透明のプラスチック製プレートからなる自転車用雨濡れ防止カバー本体１は、上端からその長さの約３分の１かつ両端から約１５センチメートルの位置に金属または硬質プラスチック製のフック状の上部ストッパー２を２個有するとともに、下端にはゴム製の下部ストッパー３を２個有する。【選択図】図１
0003188080.tif 000002
【実用新案登録請求の範囲】
【請求項１】
降雨時に、自転車の前面に簡単に着脱できる、硬質・透明プラスチック製の自転車用雨濡れ防止カバーを堅固に取り付けるとともに、すでに考案済みの雨傘固定器具を併用して自転車のハンドルに雨傘を固定することにより、自転車運転者の視界を妨げず、降雨時の片手運転による転倒等の危険を防ぎ、且つ、自転車運転者の全身を雨による濡れから防ぐ自転車用雨濡れ防止カバー。
【考案の詳細な説明】
【技術分野】
【０００１】  本考案は、自転車の前面に簡単に着脱できる自転車用雨濡れ防止カバーに関するものである。
【背景技術】
【０００２】  自転車の運転者は、降雨時、すでに考案済みの雨傘固定器具を自転車のハンドルに取り付けこれに雨傘を固定して、雨による上半身の濡れを防いでいた。
【考案の概要】
【考案が解決しようとする課題】
【０００３】  自転車の運転者は、降雨時、雨で身体が濡れるのを防ぐために、片方の手で雨傘を差し、他方の片手でハンドルを操作するため、転倒等の危険がある。【０００４】  この危険を回避するため、上述の雨傘固定器具がすでに考案されているが、この雨傘固定器具で雨傘を自転車のハンドルに固定するだけでは、自転車運転者の下半身を雨による濡れから防げないという問題点があった。
【課題を解決するための手段】
【０００５】  本考案は、自転車の前面に硬質・透明プラスチック製の雨濡れ防止カバーを取り付けるとともに、上述の雨傘固定器具を併用して雨傘を自転車のハンドルに固定することにより、運転者の視界を妨げず、降雨時の片手運転による転倒等の危険を防ぎ、且つ、自転車運転者の全身を雨による濡れから防いで問題点を解決する。
【考案の効果】
【０００６】  本考案は、自転車のハンドルの前面に硬質・透明プラスチック製の自転車用雨濡れ防止カバーを取り付け、且つ、すでに考案済みの雨傘固定器具を併用して雨傘を自転車のハンドルに固定することによって、自転車運転者の視界を妨げることなく、降雨時に自転車運転者の全身を雨による濡れから防ぐことができる。
【図面の簡単な説明】
【０００７】
【図１】本件自転車用雨濡れ防止カバー本体を斜め前方から見た見取図である。
【図２】本件自転車用雨濡れ防止カバーを自転車の前面に取り付けた時の正面図である。
【図３】本件自転車用雨濡れ防止カバーを自転車の前面に取り付け、すでに考案済みの雨傘固定器具で雨傘を自転車のハンドルに固定した時の正面図である。
【考案を実施するための形態】
【０００８】  本件自転車用雨濡れ防止カバーの上部ストッパーを自転車のハンドルに引っ掛けるとともに、本件自転車用雨濡れ防止カバーの下部ストッパーを自転車の前輪車軸の両端に引っ掛けることによって、本件自転車用雨濡れ防止カバーを自転車の前面に堅固に固定する。
【０００９】  また、本件自転車用雨濡れ防止カバーの上端が自転車運転者の頭部上端よりも高くなるように作製し、これと、上述の雨傘固定器具を併用して雨傘を自転車のハンドルに固定することにより、降雨時に自転車運転者の全身を雨による濡れから防ぐことができる。
【００１０】  さらに、本件自転車用雨濡れ防止カバーの上部ストッパーを金属または硬質プラスチック製にし、本件自転車用雨濡れ防止カバーの下部ストッパーをゴム製にすることにより、本件自転車用雨濡れ防止カバーを下に引っ張って自転車の前面に堅固に取り付けることができる。
【００１１】  さらにまた、本件自転車用雨濡れ防止カバーを硬質・透明プラスチック製にすることにより、自転車運転時に運転者の視界を妨げず、本件カバー本体を堅固なものにすることができ、且つ、晴天時に本件自転車用雨濡れ防止カバーを自転車に取り付けたままでも自転車を運転することができる。
【実施例】
【００１２】  以下、添付図面に従って実施例を説明する。１は硬質・透明プラスチック製の本件自転車用雨濡れ防止カバー本体、２は金属または硬質プラスチック製の上部ストッパー、３はゴム製の下部ストッパー、４は自転車のハンドル、５は自転車の前輪車軸で、２を４に引っ掛け、３を５の両端に引っ掛けて、１を自転車の前部に堅固に取り付ける。【００１３】  １を硬質・透明プラスッチク製とするため運転者の視界を妨げず、且つ、堅固である。また、２を４に、３を５の両端にそれぞれ引っ掛けるだけであるため、１の着脱が簡単にできる。【００１４】  また、２を金属または硬質プラスチック製にし、３をゴム製にすることによって、１を下に引って自転車の前面に堅固に取り付けることができる。
【符号の説明】
【００１５】  １  硬質・透明プラスチック製の自転車用雨濡れ防止カバー本体
２  金属または硬質プラスチック製の上部ストッパー
３  ゴム製の下部ストッパー
４  自転車のハンドル
５  自転車の前輪車軸の端
６  すでに考案済みの雨傘固定器具
７  雨傘
【図１】
0003188080.tif 000003
【図２】
0003188080.tif 000004
【図３】
0003188080.tif 000005
【手続補正書】
【提出日】平成25年6月4日(2013.6.4)
【手続補正１】
【補正対象書類名】実用新案登録請求の範囲
【補正対象項目名】全文
【補正方法】変更
【補正の内容】
【実用新案登録請求の範囲】
【請求項１】
長さが平均的な日本人の成人が自転車のサドルに腰掛けたときの頭部から足元までの長さより少し長く、幅が平均的な日本人の成人の肩幅よりも少し長い、大型の靴ベラ様の硬質・透明のプラスチック製プレートに、その上端から同プレートの長さの約３分の１、同プレート両端から約１５センチメートルの位置に金属または硬質プラスチック製でフック状の上部ストッパーを２個取り付け、同プレートの下端にゴム製の下部ストッパーを２個取り付け、上部ストッパーを自転車のハンドルに引っ掛け、下部ストッパーを前輪車軸の両突端に引っ掛けることによって、同プレートを自転車のハンドルの前面に堅固且つ簡単に着脱にできるようにしたことを特徴とする自転車用雨濡れ防止カバー。
【手続補正２】
【補正対象書類名】明細書
【補正対象項目名】全文
【補正方法】変更
【補正の内容】
【考案の詳細な説明】
【技術分野】
【０００１】  本考案は、自転車のハンドルの前面に堅固且つ簡単に着脱にできる自転車用雨濡れ防止カバーに関するものである。
【背景技術】
【０００２】  自転車の運転者は、降雨時、雨による上半身の濡れを防ぐため、雨傘を自転車のハンドルに固定する自転車用雨傘固定器具を用いて雨傘を自転車のハンドルに固定する方法によっていた。
【考案の概要】
【考案が解決しようとする課題】
【０００３】  自転車の運転者は、降雨時、雨で身体が濡れるのを防ぐために、片方の手で雨傘を差し、他方の片手でハンドルを操作するため、転倒等の危険がある。【０００４】  この危険を回避するため、上述の自転車用雨傘固定器具が利用されているが、この自転車用雨傘固定器具で雨傘を自転車のハンドルに固定するだけでは、自転車運転者の下半身を雨による濡れから防げないという問題点があった。
【課題を解決するための手段】
【０００５】  本考案は、自転車のハンドルの前面に硬質・透明のプラスチック製の自転車用雨濡れ防止カバーを取り付けるとともに、上述の自転車用雨傘固定器具を併用して雨傘を自転車のハンドルに固定することにより、運転者の視界を妨げず、降雨時の片手運転による転倒等の危険を防ぎ、且つ、自転車運転者の全身を雨による濡れから防いで問題点を解決する。
【考案の効果】
【０００６】  本考案は、自転車のハンドルの前面に硬質・透明のプラスチック製の自転車用雨濡れ防止カバーを取り付け、且つ、上述の自転車用雨傘固定器具を併用して雨傘を自転車のハンドルに固定することによって、自転車運転者の視界を妨げることなく、降雨時に自転車運転者の全身を雨による濡れから防ぐことができる。
【図面の簡単な説明】
【０００７】
【図１】本件自転車用雨濡れ防止カバー本体を斜め前方から見た見取図である。
【図２】本件自転車用雨濡れ防止カバーを自転車のハンドルの前面に取り付けた時の正面図である。
【図３】本件自転車用雨濡れ防止カバーを自転車のハンドルの前面に取り付け、上述の自転車用雨傘固定器具で雨傘を自転車のハンドルに固定した時の正面図である。
【考案を実施するための形態】
【０００８】  本件自転車用雨濡れ防止カバーの上部ストッパーを自転車のハンドルに引っ掛けるとともに、本件自転車用雨濡れ防止カバーの下部ストッパーを自転車の前輪車軸の両突端に引っ掛けることによって、本件自転車用雨濡れ防止カバーを自転車のハンドルの前面に堅固に固定する。
【０００９】  また、本件自転車用雨濡れ防止カバーの上端が平均的な日本人の成人が自転車のサドルに腰掛けたときの頭部から足元までの長さより少し長く、幅が平均的な日本人の成人の肩幅よりも少し長いため、降雨時に自転車運転者の前身を雨による濡れから防ぐことができる。
【００１０】  さらに、本件自転車用雨濡れ防止カバーの上部ストッパーを金属または硬質プラスチック製にし、本件自転車用雨濡れ防止カバーの下部ストッパーをゴム製にすることにより、本件自転車用雨濡れ防止カバーを下に引っ張って自転車のハンドルの前面に堅固に取り付けることができる。
【００１１】  さらにまた、本件自転車用雨濡れ防止カバーを硬質・透明プラスチック製にすることにより、自転車運転時に運転者の視界を妨げず、本件自転車用雨濡れ防止カバー本体を堅固なものにすることができ、且つ、晴天時に本件自転車用雨濡れ防止カバーを自転車に取り付けたままでも自転車を運転することができる。
【実施例】
【００１２】  以下、添付図面に従って実施例を説明する。１は硬質・プラスチック製の本件自転車用雨濡れ防止カバー本体、２は金属または硬質プラスチック製の上部ストッパー、３はゴム製の下部ストッパー、４は自転車のハンドル、５は自転車の前輪車軸の突端で、２を４に引っ掛け、３を５の両端に引っ掛けて、１を４の前面に堅固に取り付ける。【００１３】  １を硬質・プラスチック製とするため自転車運転者の視界を妨げず、且つ、堅固である。また、２を４に、３を５の両端にそれぞれ引っ掛けるだけであるため、１の４への着脱が簡単にできる。【００１４】  また、２を金属または硬質プラスチック製にし、３をゴム製にすることによって、１を下に引っ張って４の前面に堅固に取り付けることができる。
【符号の説明】
【００１５】１  硬質・透明プラスチック製の自転車用雨濡れ防止カバー本体２  金属または硬質プラスチック製の上部ストッパー３  ゴム製の下部ストッパー４  自転車のハンドル５  自転車の前輪車軸の突端６  自転車用雨傘固定器具７  雨傘
【手続補正書】
【提出日】平成25年10月10日(2013.10.10)
【手続補正１】
【補正対象書類名】実用新案登録請求の範囲
【補正対象項目名】全文
【補正方法】変更
【補正の内容】
【実用新案登録請求の範囲】
【請求項１】
大型の靴ベラ様の硬質・透明のプラスチック製プレートからなる自転車用雨濡れ防止カバーであって、
前記プレートは、上端からその長さの約３分の１かつ両端から約１５センチメートルの位置に金属または硬質プラスチック製のフック状の上部ストッパーを２個有するとともに、下端にはゴム製の下部ストッパーを２個有することを特徴とする自転車用雨濡れ防止カバー。